(57)【特許請求の範囲】
【請求項１】
デジタル放送送出装置側から送出されたＴＳパケットを復調処理して出力する復調部を備え、前記復調部から出力されるＴＳパケットから複数の時系列情報を分離して、イベントの基準となるイベント基準時間にしたがって映像又は音声を提示するデジタル放送受信装置であって、
イベント基準時間よりも高い精度を有し、イベントの開始時刻に対応する提示基準時間の値を含むオフセット情報を有するＴＳパケットからオフセット情報を抽出して出力するテーブル構成部と、
前記テーブル構成部から出力される前記オフセット情報を参照して提示基準時間の値に基づいてイベント基準時間を換算して得る時間換算部と、
を備えるデジタル放送受信装置。
【請求項２】
前記復調部から出力される前記ＴＳパケットからプログラム時刻基準参照値を取り出して出力するＴＳデコーダと、
前記ＴＳデコーダから出力される前記プログラム時刻基準参照値に基づいて、受信装置側の基準クロックを送出装置側に同期させ、前記基準クロックを前記時間換算部に出力する基準計時部と、
を備えることを特徴とした請求項１記載のデジタル放送受信装置。
【請求項３】
前記時間換算部は、前記テーブル構成部から出力されるオフセット情報が得られなかったとき、イベント基準時計を用いてイベント時刻を得る機能を含む請求項２記載のデジタル放送受信装置。
【発明の詳細な説明】
【０００１】
【発明の属する技術分野】
本発明は、映像、音声、又は各種データストリームを含む複数の時系列情報を多重化して放送するデジタル放送に係り、特に、時系列情報における時間軸上の部分を含むイベントの基準となるイベント基準時間と、複数の時系列情報間における提示時間同期の基準となる提示基準時間とを精密に同期させるデジタル放送の時刻同期方法、デジタル放送送出装置、デジタル放送受信装置、デジタル放送送受システム、及びデジタル放送のデータ構造に関する。
【０００２】
【従来の技術】
最近時、既存の地上波放送に加えて、例えばデジタル放送に係る社会基盤が急速に整備されてきた。
【０００３】
現在における日本国内のデジタル放送形態は、映像、音声、又は各種データストリームを含む複数の時系列情報を多重化して放送する形態が採用されており、時系列情報の多重化は、放送や通信メディアなどに適した国際標準方式であるＭＰＥＧ−２  Ｓｙｓｔｅｍｓの規格に準拠して行われている。なお、ＭＰＥＧ−２  Ｓｙｓｔｅｍｓは国際標準であるISO/IEC 13818-1により規定されている。
【０００４】
さて、デジタル放送の受信側において、多重化して送出された時系列情報を受信し、受信した時系列情報から映像、又は音声ストリーム等を各々復元する際に考慮すべき重要な点は、例えば映像ストリームと音声ストリームとを同期させて再生する点である。
【０００５】
そこで従来より、デジタル放送の送出側において、送出対象となる多重化された映像、又は音声ストリーム等の時系列情報に、再生すべき時刻を提示する、いわゆるタイムスタンプを付加するとともに、このタイムスタンプに対し、例えばＰＣＲ（Program Clock Reference）と呼ばれるプログラム時刻基準参照値を付加することが一般に行われている。
【０００６】
上記従来の時刻同期方式についてさらに詳しく述べると、ＭＰＥＧ−２  Ｓｙｓｔｅｍｓで規定される時刻同期に係る枠組みとして、時系列情報の提示基準時計として機能するＳＴＣ（System Time Clock：４２ビット、２７ＭＨｚ周期）と、ＰＴＳ(Presentation Time Stamp ：３３ビット、９０ｋＨｚ周期)と呼ばれる提示時刻が用意されている。
【０００７】
一方、標準化団体ETS（European telecommunication Standard）のETS 300 468による規格であるDVB-SI（Digital Video Broadcasting - Service Information）で規定される番組、すなわちイベントの時刻同期等に係る枠組みとして、ＥＩＴ（Event Information Table:イベントインフォメーションテーブル）と呼ばれるイベントの開始や終了時刻等を含むイベント時刻と、ＴＤＴ（Time and Date Table）と呼ばれる１秒精度の「年月日時分秒」を含むイベント基準時計が用意されている。
【０００８】
上記従来の時刻同期方式によれば、映像、又は音声等を含むＴＳ（Transport Stream）の受信側において、ＴＳパケットの内容識別情報が記述されたヘッダ部分に含まれるＰＣＲフィールドで伝送された提示基準時計ＳＴＣを基準として、提示時刻ＰＴＳが提示基準時計ＳＴＣと同期するように提示することで、複数の時系列情報間の同期をとることができる。
【０００９】
一方、映像、又は音声等を含むＴＳの受信側において、ＴＤＴで伝送された１秒単位のイベント基準時計を基準として、イベント時刻をイベント基準時計ＴＤＴに同期させることで、イベント時刻を相対的に定義することができる。
【００１０】
【発明が解決しようとする課題】
しかしながら、上記従来の時刻同期方式にあっては、映像又は音声ストリームの提示時刻ＰＴＳと、ＥＩＴ等で指定されるイベント時刻とは、各々独立した基準時計を用いており、さらに、イベント基準時計ＴＤＴはセクション形式で伝送されるため、送出側の伝送時刻を受信側のイベント基準時計に正確に対応付けることは困難である結果として、映像又は音声ストリームの提示時刻ＰＴＳと、ＥＩＴ等で指定されるイベント時刻との間で精密な同期をとることは困難を極めるという解決すべき課題を内在していた。
【００１１】
そこで、映像又は音声ストリームの提示時刻ＰＴＳと、ＥＩＴ等で指定されるイベント時刻とを精密に同期させ得る新規な時刻同期方式の開発が関係者の間で久しく待ち望まれていた。
【００１２】
本発明は、上記実情に鑑みてなされたものであり、時系列情報における時間軸上の部分を含むイベントの基準となるイベント基準時間と、複数の時系列情報間における提示時間同期の基準となる提示基準時間とを精密に同期させ得るデジタル放送の時刻同期方法、デジタル放送送出装置、デジタル放送受信装置、デジタル放送送受システム、及びデジタル放送のデータ構造を得ることを課題とする。
【００１３】
【課題を解決するための手段】
上記課題を解決するために、本発明は、複数の時系列情報を多重化して放送するデジタル放送の時刻同期方法であって、前記多重化された時系列情報を送出側から送出する際に、当該時系列情報における時間軸上の部分を含むイベントに対し、当該イベントの基準となるイベント基準時間と、前記複数の時系列情報間における提示時間同期の基準となる提示基準時間との間のオフセット時間を含むオフセット情報を付加して伝送することにより、前記多重化された時系列情報の受信側における前記提示基準時間と前記イベント基準時間とを精密に同期させることを要旨とする。
【００１４】
本発明の発明によれば、多重化された時系列情報を送出側から送出する際に、時系列情報における時間軸上の部分を含むイベントに対し、イベントの基準となるイベント基準時間と、複数の時系列情報間における提示時間同期の基準となる提示基準時間との間のオフセット時間を含むオフセット情報を付加して伝送するようにしたので、したがって、例えば、ＥＩＴ等に記述されるイベント時刻の基準となるイベント基準時間を、正確な対応付けが困難なイベント基準時計ＴＤＴに依存することなく、伝送されたオフセット情報を参照して、提示基準時間に基づいて換算して得られることとなり、つまり、最終的に同一の基準時間を用いることになる結果として、受信側における提示基準時間とイベント基準時間とを精密に同期させることができる。
【００１５】
また、本発明は、前記多重化は、ＭＰＥＧ−２  Ｓｙｓｔｅｍｓの規格に準拠して行われる一方、前記提示基準時間は、前記時系列情報の提示基準時計として機能するＳＴＣにより与えられることを要旨とする。
【００１６】
さらに、本発明は、複数の時系列情報を多重化して放送するデジタル放送送出装置であって、前記時系列情報における時間軸上の部分を含むイベントに対し、当該イベントの基準となるイベント基準時間と、前記複数の時系列情報間における提示時間同期の基準となる提示基準時間との間のオフセット時間を含むオフセット情報を付加するオフセット情報付加手段と、当該オフセット情報付加手段でオフセット情報が付加されたイベントを含む前記時系列情報を伝送する伝送手段と、を含んで構成されることを要旨とする。
【００１７】
本発明によれば、まず、オフセット情報付加手段は、時系列情報における時間軸上の部分を含むイベントに対し、イベントの基準となるイベント基準時間と、複数の時系列情報間における提示時間同期の基準となる提示基準時間との間のオフセット時間を含むオフセット情報を付加する。これを受けて、伝送手段は、オフセット情報付加手段でオフセット情報が付加されたイベントを含む時系列情報を伝送する。
【００１８】
したがって、例えば、ＥＩＴ等に記述されるイベント時刻の基準となるイベント基準時間を、正確な対応付けが困難なイベント基準時計ＴＤＴに依存することなく、伝送されたオフセット情報を参照して、提示基準時間に基づいて換算して得られることとなり、つまり、最終的に同一の基準時間を用いることになる結果として、デジタル放送の受信側における提示基準時間とイベント基準時間とを精密に同期させることが可能なデジタル放送送出装置を得ることができる。
【００１９】
さらにまた、本発明は、前記多重化は、ＭＰＥＧ−２  Ｓｙｓｔｅｍｓの規格に準拠して行われる一方、前記提示基準時間は、前記時系列情報の提示基準時計として機能するＳＴＣにより与えられることを要旨とする。
【００２０】
しかも、本発明は、複数の時系列情報が多重化して放送されるデジタル放送を受信するデジタル放送受信装置であって、前記時系列情報における時間軸上の部分を含むイベントに対して付加された、当該イベントの基準となるイベント基準時間と、前記複数の時系列情報間における提示時間同期の基準となる提示基準時間との間のオフセット時間を含むオフセット情報を取得するオフセット情報取得手段と、当該オフセット情報取得手段で取得したオフセット情報に基づいて、前記提示基準時間と前記イベント基準時間とを精密に同期させる時間同期手段と、を含んで構成されることを要旨とする。
【００２１】
本発明によれば、まず、オフセット情報取得手段は、時系列情報における時間軸上の部分を含むイベントに対して付加された、イベントの基準となるイベント基準時間と、複数の時系列情報間における提示時間同期の基準となる提示基準時間との間のオフセット時間を含むオフセット情報を取得する。これを受けて、時間同期手段は、オフセット情報取得手段で取得したオフセット情報に基づいて、提示基準時間とイベント基準時間とを精密に同期させる。
【００２２】
したがって、例えば、ＥＩＴ等に記述されるイベント時刻の基準となるイベント基準時間を、正確な対応付けが困難なイベント基準時計ＴＤＴに依存することなく、取得したオフセット情報を参照して、提示基準時間に基づいて換算して得られることとなり、つまり、最終的に同一の基準時間を用いることになる結果として、提示基準時間とイベント基準時間とを精密に同期させることが可能なデジタル放送受信装置を得ることができる。
【００２３】
また、本発明は、前記多重化は、ＭＰＥＧ−２  Ｓｙｓｔｅｍｓの規格に準拠して行われる一方、前記提示基準時間は、前記時系列情報の提示基準時計として機能するＳＴＣにより与えられることを要旨とする。
【００２４】
さらに、本発明は、複数の時系列情報が多重化して放送されるデジタル放送を受信するデジタル放送受信装置であって、前記時系列情報における時間軸上の部分を含むイベントに対して付加された、当該イベントの基準となるイベント基準時間と、前記複数の時系列情報間における提示時間同期の基準となる提示基準時間との間のオフセット時間を含むオフセット情報を取得するオフセット情報取得手段と、当該オフセット情報取得手段で取得したオフセット情報を参照して、前記提示基準時間に基づいて前記イベント基準時間を換算して得る時間換算手段と、を含んで構成されることを要旨とする。
【００２５】
本発明によれば、まず、オフセット情報取得手段は、時系列情報における時間軸上の部分を含むイベントに対して付加された、イベントの基準となるイベント基準時間と、複数の時系列情報間における提示時間同期の基準となる提示基準時間との間のオフセット時間を含むオフセット情報を取得する。これを受けて、時間換算手段は、オフセット情報取得手段で取得したオフセット情報を参照して、提示基準時間に基づいてイベント基準時間を換算して得る。
【００２６】
このように、オフセット情報取得手段で取得したオフセット情報を参照して、提示基準時間に基づいてイベント基準時間を換算して得るようにしたので、したがって、得られたイベント基準時間を提示基準時間に対して精密に同期させることが可能なデジタル放送受信装置を得ることができる。
【００２７】
また、本発明は、前記多重化は、ＭＰＥＧ−２  Ｓｙｓｔｅｍｓの規格に準拠して行われる一方、前記提示基準時間は、前記時系列情報の提示基準時計として機能するＳＴＣにより与えられることを要旨とする。
【００２８】
しかも、本発明は、複数の時系列情報が多重化して放送されるデジタル放送を受信するデジタル放送受信装置であって、前記時系列情報における時間軸上の部分を含むイベントに対して付加された、当該イベントの基準となるイベント基準時間と、前記複数の時系列情報間における提示時間同期の基準となる提示基準時間との間のオフセット時間を含むオフセット情報を取得するオフセット情報取得手段と、当該オフセット情報取得手段で取得したオフセット情報を参照して、前記イベント基準時間に基づいて前記提示基準時間を換算して得る時間換算手段と、を含んで構成されることを要旨とする。
【００２９】
本発明によれば、まず、オフセット情報取得手段は、時系列情報における時間軸上の部分を含むイベントに対して付加された、イベントの基準となるイベント基準時間と、複数の時系列情報間における提示時間同期の基準となる提示基準時間との間のオフセット時間を含むオフセット情報を取得する。これを受けて、時間換算手段は、オフセット情報取得手段で取得したオフセット情報を参照して、イベント基準時間に基づいて提示基準時間を換算して得る。
【００３０】
このように、オフセット情報取得手段で取得したオフセット情報を参照して、イベント基準時間に基づいて提示基準時間を換算して得るようにしたので、したがって、得られた提示基準時間をイベント基準時間に対して精密に同期させることが可能なデジタル放送受信装置を得ることができる。
【００３１】
さらにまた、本発明は、前記多重化は、ＭＰＥＧ−２  Ｓｙｓｔｅｍｓの規格に準拠して行われる一方、前記提示基準時間は、前記時系列情報の提示基準時計として機能するＳＴＣにより与えられることを要旨とする。
【００３２】
一方、本発明は、複数の時系列情報を多重化して放送するデジタル放送送出装置と、当該デジタル放送送出装置で多重化して放送された時系列情報を受信するデジタル放送受信装置とを含んで構成されるデジタル放送送受システムであって、前記デジタル放送送出装置は、前記時系列情報における時間軸上の部分を含むイベントに対し、前記複数の時系列情報間における提示時間同期の基準となる第１の精度を呈する提示基準時間と、前記イベントの基準となる、前記第１の精度より低い第２の精度を呈するイベント基準時間との間の、オフセット関係を記述したオフセット情報を付加して伝送する一方、前記デジタル放送受信装置は、前記デジタル放送送出装置から伝送された前記オフセット情報を参照して、前記提示基準時間に基づいて前記イベント基準時間を換算して得ることにより、前記提示基準時間と、前記イベント基準時間とを精密に同期させることを要旨とする。
【００３３】
本発明によれば、デジタル放送送出装置は、時系列情報における時間軸上の部分を含むイベントに対し、複数の時系列情報間における提示時間同期の基準となる第１の精度を呈する提示基準時間と、イベントの基準となる、第１の精度より低い第２の精度を呈するイベント基準時間との間の、オフセット関係を記述したオフセット情報を付加して伝送する一方、デジタル放送受信装置は、デジタル放送送出装置から伝送されたオフセット情報を参照して、提示基準時間に基づいてイベント基準時間を換算して得ることにより、提示基準時間と、イベント基準時間とを精密に同期させるので、したがって、得られたイベント基準時間を提示基準時間に対して精密に同期させることが可能なデジタル放送送受システムを得ることができる。
【００３４】
また、本発明は、複数の時系列情報を多重化して放送するデジタル放送送出装置と、当該デジタル放送送出装置で多重化して放送された時系列情報を受信するデジタル放送受信装置とを含んで構成されるデジタル放送送受システムであって、前記デジタル放送送出装置は、前記時系列情報における時間軸上の部分を含むイベントに対し、前記複数の時系列情報間における提示時間同期の基準となる第１の精度を呈する提示基準時間と、前記イベントの基準となる、前記第１の精度より低い第２の精度を呈するイベント基準時間との間の、オフセット関係を記述したオフセット情報を付加して伝送する一方、前記デジタル放送受信装置は、前記デジタル放送送出装置から伝送された前記オフセット情報を参照して、前記イベント基準時間に基づいて前記提示基準時間を換算して得ることにより、前記提示基準時間と、前記イベント基準時間とを精密に同期させることを要旨とする。
【００３５】
本発明によれば、デジタル放送送出装置は、時系列情報における時間軸上の部分を含むイベントに対し、複数の時系列情報間における提示時間同期の基準となる第１の精度を呈する提示基準時間と、イベントの基準となる、第１の精度より低い第２の精度を呈するイベント基準時間との間の、オフセット関係を記述したオフセット情報を付加して伝送する一方、デジタル放送受信装置は、デジタル放送送出装置から伝送されたオフセット情報を参照して、イベント基準時間に基づいて提示基準時間を換算して得ることにより、提示基準時間と、イベント基準時間とを精密に同期させるので、したがって、得られた提示基準時間をイベント基準時間に対して精密に同期させることが可能なデジタル放送送受システムを得ることができる。
【００３６】
そして、本発明は、複数の時系列情報を多重化して放送するデジタル放送のデータ構造であって、前記時系列情報における時間軸上の部分を含むイベントの基準となるイベント基準時間と、前記複数の時系列情報間における提示時間同期の基準となる提示基準時間との間のオフセット時間を含むオフセット情報が記述されるオフセット情報記述領域を含んで構成されることを要旨とする。
【００３７】
本発明によれば、複数の時系列情報を多重化して放送するデジタル放送のデータ構造は、時系列情報における時間軸上の部分を含むイベントの基準となるイベント基準時間と、複数の時系列情報間における提示時間同期の基準となる提示基準時間との間のオフセット時間を含むオフセット情報が記述されるオフセット情報記述領域を含んで構成されるので、したがって、例えば、多重化された時系列情報を送出側から送出する際に、オフセット情報記述領域にオフセット情報を記述して伝送すれば、ＥＩＴ等に記述されるイベント時刻の基準となるイベント基準時間を、正確な対応付けが困難なイベント基準時計ＴＤＴに依存することなく、伝送されたオフセット情報を参照して、提示基準時間に基づいて換算して得られることとなり、つまり、最終的に同一の基準時間を用いることになる結果として、受信側における提示基準時間とイベント基準時間とを精密に同期させることができる。
【００３８】
【発明の実施の形態】
以下に、本発明に係るデジタル放送の時刻同期方法、デジタル放送送出装置、デジタル放送受信装置、デジタル放送送受システム、及びデジタル放送のデータ構造のそれぞれの実施形態について、図に基づいて詳細に説明する。
【００３９】
図１は、本発明に係るデジタル放送送出装置の概略ブロック構成図、図２は、本発明に係る第１のデジタル放送受信装置の概略ブロック構成図、図３は、本発明に係る第２のデジタル放送受信装置の概略ブロック構成図、図４は、本発明に係るデジタル放送の時刻同期方法の説明に供する図、図５乃至図６は、本発明の要部として位置付けられるオフセット情報が記述されるＰＴＳオフセットテーブルのデータ構造を示す図である。
【００４０】
なお、本発明に係るデジタル放送送受システムについて、第１及び第２の２つの実施形態を例示して説明するが、これらの実施形態の説明において、両者間で共通する部材間には共通の符号を付し、その重複した説明を省略する。
【００４１】
まず、本発明に係るデジタル放送の時刻同期方法の概略について述べると、本時刻同期方法は、映像、音声、又は各種データストリームを含む複数の時系列情報を多重化して放送するデジタル放送の時刻同期方法であって、多重化された時系列情報を送出側から送出する際に、時系列情報における時間軸上の部分を含む番組、すなわちイベントに対し、イベントの基準となるイベント基準時間と、複数の時系列情報間における提示時間同期の基準となる提示基準時間との間のオフセット時間を含むオフセット情報を付加して伝送することにより、多重化された時系列情報の受信側における提示基準時間とイベント基準時間とを精密に同期させるものである。
【００４２】
本時刻同期方法によれば、多重化された時系列情報を送出側から送出する際に、時系列情報における時間軸上の部分を含むイベントに対し、イベントの基準となるイベント基準時間と、複数の時系列情報間における提示時間同期の基準となる提示基準時間との間のオフセット時間を含むオフセット情報を付加して伝送するようにしたので、したがって、例えば、イベントインフォメーションテーブルＥＩＴ等に記述されるイベント時刻の基準となるイベント基準時間を、正確な対応付けが困難なイベント基準時計ＴＤＴに依存することなく、伝送されたオフセット情報を参照して、提示基準時間に基づいて換算して得られることとなり、つまり、最終的に同一の基準時間を用いることになる結果として、受信側における提示基準時間とイベント基準時間とを精密に同期させることができるのである。
【００４３】
次に、本時刻同期方法が用いられるデジタル放送のデータ構造について、図５乃至図６を参照して説明する。
【００４４】
オフセット情報ＰＯＴ（ＰＴＳ Offset Table）、すなわちＰＴＳ（Presentation Time Stamp）オフセットテーブルは、例えばＥＩＴなどの番組内インデックスで指定されるイベント時刻と、ISO/IEC11318-2で規定されるＳＴＣ（System Time Clock:時刻精密同期化; ４２ビット、２７ＭＨｚ周期）の値との対応関係を表す情報であり、ＰＥＳ（Packetized Elementary Stream）パケットに含まれる提示時刻ＰＴＳの値を参照することにより、ＰＴＳの精度での時間軸上の部分、すなわちセグメントの指定を行なうことができる。したがって、例えば、ビデオ映像を構成する各静止画であるフレームの精度でのセグメントの指定を行うことも十分可能である。
【００４５】
ＰＴＳオフセットテーブルはサブテーブルの集合であり、さらに、サブテーブルはある一つのイベントとＳＴＣの値との対応を含むテーブルであり、ＰＴＳオフセットセクションで構成される。
【００４６】
ここで、ＰＴＳオフセットセクションの各フィールドに含まれるデータ項目について、図５乃至図６を参照して以下に簡単に説明する。
【００４７】
table_id（テーブル識別６１）：この８ビットのフィールドの値は、ＰＴＳオフセットセクションを識別する際に用いられる。
【００４８】
section_syntax_indicator（セクションシンタックス指示６３）：この１ビットのフィールドの値は、常に「1」に設定されなくてはならない。
【００４９】
reserved（未定義６５、６９、８１）：将来の機能拡張等に備えて予備的に設けられたフィールドである。
【００５０】
section_length（セクション長６７）：この１２ビットのフィールドの値のうち、最初の２ビットの値は「00」でなければならない。セクション長６７の値は、section_lengthフィールドの直後からＣＲＣ（Cyclic Redundancy Check：巡回冗長検査）８５フィールドに至るまでのセクションに含まれるバイト数を規定する。
【００５１】
version_number（バージョン番号７１）：この５ビットのフィールドの値は、後述するpts_offset_sectionのバージョン番号を示す。バージョン番号７１は、セクション中で伝送される情報が変更された場合に、モジュロ３２で１つずつインクリメントされなければならない。
【００５２】
current_next_indicator（カレントネクスト指示７３）：この１ビットのフィールドの値は、常に「1」に設定されなくてはならない。
【００５３】
section_number（セクション番号７５）：この８ビットのフィールドの値は、常に「0x00」に設定されなくてはならない。
【００５４】
last_section_number（最終セクション番号７５）：この８ビットのフィールドの値は、常に「0x00」に設定されなくてはならない。
【００５５】
event_id（イベント識別７９）：この１６ビットのフィールドの値は、イベント（番組）を識別する１６ビットの数値である。ＰＴＳオフセットセクションは、イベント識別７９により指定されるイベント（番組）に関する。
【００５６】
pts_offset（ＰＴＳオフセット８３）：この４２ビットのフィールドの値は、２７ＭＨｚの周期を単位として規定される。ＰＴＳオフセット８３の値は、タイムコードの値が 「00:00:00:00」となる時点におけるＳＴＣの値を示す。
【００５７】
上述したように、本時刻同期方法が用いられるデジタル放送のデータ構造によれば、複数の時系列情報を多重化して放送するデジタル放送のデータ構造は、時系列情報における時間軸上の部分を含むイベントの基準となるイベント基準時間と、複数の時系列情報間における提示時間同期の基準となる提示基準時間との間のオフセット時間を含むオフセット情報が記述されるオフセット情報記述領域を含んで構成されるので、したがって、例えば、多重化された時系列情報を送出側から送出する際に、オフセット情報記述領域にオフセット情報を記述して伝送すれば、ＥＩＴ等に記述されるイベント時刻の基準となるイベント基準時間を、正確な対応付けが困難なイベント基準時計ＴＤＴに依存することなく、伝送されたオフセット情報を参照して、提示基準時間に基づいて換算して得られることとなり、つまり、最終的に同一の基準時間を用いることになる結果として、受信側における提示基準時間とイベント基準時間とを精密に同期させることが可能になる。
【００５８】
次に、本時刻同期方法を採用した、本発明の第１実施形態に係るデジタル放送送受システム１の概略構成について述べると、図１乃至図２に示すように、本第１実施形態に係るデジタル放送送受システム１は、複数の時系列情報を多重化して放送するデジタル放送送出装置３と、デジタル放送送出装置１で多重化して放送された時系列情報を受信する第１のデジタル放送受信装置５とを含んで構成されている。
【００５９】
デジタル放送送出装置３は、イベント基準時計１１と、イベントスケジューラ１３と、映像格納部１５と、提示基準時計１７と、ＭＰＥＧ−２ビデオエンコーダ１９と、オフセット情報付加手段として機能するＰＯＴ生成部２１と、同様にオフセット情報付加手段として機能する多重化部２３と、伝送手段として機能する変調部２５とを含んで構成されている。
【００６０】
イベント基準時計１１は、イベント時刻の基準となる１秒精度の日本標準時刻を出力する機能を有している。
【００６１】
イベントスケジューラ１３は、番組すなわちイベントの放送時刻が時系列的に記述されたイベントスケージュール情報を蓄積しており、このイベントスケージュール情報と、イベント基準時計１１から得られた日本標準時刻とを参照して、例えばあるイベントが放送開始時刻に到ったとき、該当するイベントの放送開始を指示する旨のイベント開始情報を出力する機能を有している。
【００６２】
映像格納部１５は、例えばドラマ等のイベント内容を蓄積するビデオテープレコーダ（ＶＴＲ）などから構成され、イベントスケジューラ１３からイベント開始情報を受けたとき、該当するイベントの再生を開始するイベント再生機能を有している。
【００６３】
なお、映像格納部１５は、例えばドラマなどの、送出装置３側に一旦蓄積後のイベントを放送する蓄積型放送の際に用いられるものであり、生放送番組などの、送出装置３側に一旦蓄積することなくリアルタイムで放送するリアルタイム型放送の際には省略又は素通りとすることができる。
【００６４】
提示基準時計１７は、複数の時系列情報間における提示時間同期の基準となる提示基準時間を出力する機能を有している。具体的には、提示基準時計１７は、ＳＴＣ（System Time Clock）と呼ばれる４２ビット、２７ＭＨｚ周期のサンプリングレート精度の基準時間情報を出力する。
【００６５】
ＭＰＥＧ−２ビデオエンコーダ１９は、映像格納部１５から送出されたイベント内容を含むビデオ・ストリームを、ＭＰＥＧ−２ビデオの規格に準拠して圧縮し、ＰＥＳパケットの形態で出力する機能を有している。このとき、ＰＥＳパケット内には、提示基準時計１７から送られた提示基準時間ＳＴＣを参照して、提示時刻ＰＴＳが付加される。
【００６６】
ＰＯＴ生成部２１は、イベントスケジューラ１３からイベント開始情報を受けたとき、提示基準時計１７から送られた提示基準時間ＳＴＣを参照して、イベント開始情報を受け取った瞬間のＳＴＣの値を読み取り、読み取ったＳＴＣ値を、オフセット情報ＰＯＴの形態に変換して出力する機能を有している。
【００６７】
多重化部２３は、ＭＰＥＧ−２ビデオエンコーダ１９から送出されるＰＥＳパケット、及び図示しないＭＰＥＧ−２オーディオエンコーダから送出されるＰＥＳパケット等を多重化するとともに、この多重化により得られたＴＳ（Transport Stream：トランスポートストリーム）パケットに、ＰＯＴ生成部２１から出力されたオフセット情報ＰＯＴ、及び提示基準時計１７から送られた提示基準時間ＳＴＣを参照して得られるＰＣＲ（Program Clock Reference）と呼ばれるプログラム時刻基準参照値を付加して出力する機能を有している。なお、プログラム時刻基準参照値ＰＣＲはＴＳパケットのヘッダ部分に付加されて伝送される一方、オフセット情報ＰＯＴはセクション形式で付加されて伝送される。
【００６８】
そして、変調部２５は、多重化部２３から送出されたＴＳパケットに対して所定の変調処理を施し、変調処理後のＴＳパケットを出力する機能を有して構成されている。
【００６９】
一方、第１のデジタル放送受信装置５は、復調部３１と、ＴＳデコーダ３３と、ＰＥＳデコーダ３５と、基準計時部３７と、ＭＰＥＧ−２ビデオデコーダ３９と、オフセット情報取得手段として機能するテーブル構成部４１と、時間同期手段、及び時間換算手段として機能する時間換算部４３と、を含んで構成されている。
【００７０】
復調部３１は、デジタル放送送出装置３側から伝送されたオフセット情報ＰＯＴを含むＴＳパケットに対して所定の復調処理を施し、復調処理後のＴＳパケットを出力する機能を有している。
【００７１】
ＴＳデコーダ３３は、復調部３１から送出された復調処理後のＴＳパケットに含まれるヘッダ部分からプログラム時刻基準参照値ＰＣＲを取り出して出力する一方、復調処理後のＴＳパケットに含まれるペイロードと呼ばれる部分を取り出して出力する機能を有している。
【００７２】
ＰＥＳデコーダ３５は、ＴＳデコーダ３３から送出されたペイロード部分に含まれる映像又は音声等の複数の時系列情報をその種別毎に分離して取り出し、取り出した複数の時系列情報を各自の待ち行列に蓄積しておき、蓄積された複数の時系列情報を、ＭＰＥＧ−２ビデオデコーダ３９、又は図示しないＭＰＥＧ−２オーディオデコーダ等からの要求に応じて、所定の基準クロックＳＴＣに同期させて出力する機能を有している。
【００７３】
基準計時部３７は、ＰＬＬ（Phase Locked Loop：位相ロックループ）と呼ばれる位相固定機能を用いて、ＴＳデコーダ３３から入力したプログラム時刻基準参照値ＰＣＲに基づいて、送出装置３側の提示基準時間ＳＴＣを正確に再現することにより、送出装置３側と受信装置５側の基準クロックを同期させる機能を有している。
【００７４】
ＭＰＥＧ−２ビデオデコーダ３９は、基準計時部３７で再現された提示基準時間ＳＴＣを用いて、ＳＴＣの値が提示時刻ＰＴＳに一致するように時系列情報を、ＰＥＳデコーダ３５内の該当する待ち行列から取り出し、取り出した時系列情報を、ＭＰＥＧ−２ビデオの規格に準拠して伸長し、ビデオ・ストリームの形態で出力する機能を有している。
【００７５】
テーブル構成部４１は、ＰＥＳデコーダ３５からの出力から、セクション形式で付加されたオフセット情報ＰＯＴを抽出する機能を有している。
【００７６】
時間換算部４３は、テーブル構成部４１で抽出されたオフセット情報ＰＯＴを参照して、基準計時部３７で再現された提示基準時間ＳＴＣに基づいて、例えばテーブル構成部４１から出力されるイベントインフォメーションテーブルＥＩＴに記述されたイベント時刻を換算して取得し、取得した高精度のイベント時刻を出力する機能を有している。具体的には、時間換算部４３は、提示基準時間ＳＴＣからオフセット情報ＰＯＴに記述されたオフセット時間を差し引くことにより、時間的な誤差が補正された高精度のイベント時刻等の時間情報を取得するようにしている。
【００７７】
なお、時間換算部４３は、第２のデジタル放送受信装置７がオフセット情報ＰＯＴを受け取れなかった場合の付加的な機能として、テーブル構成部４１から出力される、DVB-SIで規定されるＴＤＴ（Time and Date Table）と呼ばれる１秒精度の「年月日時分秒」を含むイベント基準時計を用いて、イベント時刻等の時間情報を得る機能を含むように構成することもできる。このイベント基準時計を用いれば、１秒精度の大まかな時刻を指定できる。特に、イベントの先頭を指定する場合には、ＥＩＴの情報を併用することも可能である。
【００７８】
次に、本時刻同期方法を採用した、本発明の第２実施形態に係るデジタル放送送受システム２の概略構成について述べると、図１及び図３に示すように、本第２実施形態に係るデジタル放送送受システム２は、デジタル放送送出装置３と、デジタル放送送出装置１で多重化して放送された時系列情報を受信する第２のデジタル放送受信装置７とを含んで構成されている。なお、デジタル放送送出装置３は、上述した第１実施形態に係るデジタル放送送受システム１で説明したものと共通であるため、その説明は省略する。
【００７９】
第２のデジタル放送受信装置７は、復調部３１と、ＴＳデコーダ３３と、ＰＥＳデコーダ３５と、基準計時部３７と、ＭＰＥＧ−２ビデオデコーダ３９と、オフセット情報取得手段として機能するテーブル構成部４１と、時刻指定部５１と、時間同期手段、及び時間換算手段として機能する提示基準時間換算部５３と、時刻比較部５５と、時系列選択部５７と、を含んで構成されている。
【００８０】
上述した第２のデジタル放送受信装置７の構成部材のうち、第２のデジタル放送受信装置７に特有の、時刻指定部５１、提示基準時間換算部５３、時刻比較部５５、及び時系列選択部５７について以下に説明する。
【００８１】
時刻指定部５１は、イベント時刻を数値入力等により操作者が指定する際に用いられるものであり、例えばテンキーを備えたキーボード等を採用することができる。なお、時刻指定部５１は、テーブル構成部４１から出力されるＥＩＴに記述された複数のイベントのうち、自身の嗜好に適合した所望のイベントを選択することにより、イベント時刻を指定する際に用いることもできる。
【００８２】
提示基準時間換算部５３は、テーブル構成部４１で抽出されたオフセット情報ＰＯＴを参照して、時刻指定部５１を用いて指定されたイベント時刻に基づいて、提示基準時間を換算して出力する機能を有している。
【００８３】
時刻比較部５５は、第２のデジタル放送受信装置７がオフセット情報ＰＯＴを受け取れなかった場合に備えて予備的に設けられたものであり、テーブル構成部４１から出力されるイベント基準時計ＴＤＴを用いて、時刻指定部５１で指定されたイベント時刻を１秒精度で出力する機能を有している。
【００８４】
時系列選択部５７は、提示基準時間換算部５３で得られた提示基準時間と、ＰＥＳデコーダ３５から送られたＰＥＳパケットに含まれる提示時刻ＰＴＳとを比較し、提示時刻ＰＴＳが提示基準時間の値と一致するように時系列情報を選択して取り出すことにより、例えば特定シーン等の指定された部分映像を切り出す機能を有している。
【００８５】
また、時系列選択部５７は、第２のデジタル放送受信装置７がオフセット情報ＰＯＴを受け取れなかった場合には、時刻比較部５５から出力されたイベント指定時刻を入力し、入力したイベント指定時刻と、ＰＥＳデコーダ３５から送られた提示時刻ＰＴＳとを比較して、提示時刻ＰＴＳがイベント指定時刻と一致するように時系列情報を選択して取り出すことにより、例えば指定された部分映像を切り出す機能を有して構成されている。
【００８６】
次に、第１実施形態に係るデジタル放送送受システム１の概略動作について述べると、第１実施形態に係るデジタル放送送受システム１によれば、デジタル放送送出装置３は、時系列情報における時間軸上の部分を含むイベントに対し、複数の時系列情報間における提示時間同期の基準となる第１の精度を呈する提示基準時間、すなわち４２ビット、２７ＭＨｚ周期のサンプリングレート精度の提示基準時間ＳＴＣと、イベントの基準となる、第１の精度より低い第２の精度を呈するイベント基準時間との間の、オフセット関係を記述したオフセット情報ＰＯＴを付加して伝送する一方、第１のデジタル放送受信装置５は、デジタル放送送出装置３から伝送されたオフセット情報ＰＯＴを参照して、提示基準時間ＳＴＣに基づいてイベント基準時間、たとえばイベント時刻を換算して得ることにより、提示基準時間ＳＴＣと、イベント基準時間とを精密に同期させることが可能なデジタル放送送受システム１を得ることができる。
【００８７】
一方、第２実施形態に係るデジタル放送送受システム２の概略動作について述べると、デジタル放送送出装置３は、時系列情報における時間軸上の部分を含むイベントに対し、複数の時系列情報間における提示時間同期の基準となる第１の精度を呈する提示基準時間、すなわち４２ビット、２７ＭＨｚ周期のサンプリングレート精度の提示基準時間ＳＴＣと、イベントの基準となる、第１の精度より低い第２の精度を呈するイベント基準時間との間の、オフセット関係を記述したオフセット情報ＰＯＴを付加して伝送する一方、第２のデジタル放送受信装置７は、デジタル放送送出装置３から伝送されたオフセット情報ＰＯＴを参照して、イベント基準時間に基づいて提示基準時間を換算して得ることにより、提示基準時間と、イベント基準時間とを精密に同期させることが可能なデジタル放送送受システム２を得ることができる。
【００８８】
次に、本第１実施形態に係るデジタル放送受信装置５の概略動作について述べると、本第１実施形態に係るデジタル放送受信装置５によれば、ＭＰＥＧ−２ビデオデコーダ３９は、基準計時部３７で再現された提示基準時間ＳＴＣを用いて、ＳＴＣの値が提示時刻ＰＴＳに一致するように時系列情報を、ＰＥＳデコーダ３５内の該当する待ち行列から取り出し、取り出した時系列情報を、ＭＰＥＧ−２ビデオの規格に準拠して伸長し、ビデオ・ストリームの形態で出力する一方、時間換算部４３は、テーブル構成部４１で抽出されたオフセット情報ＰＯＴを参照して、基準計時部３７で再現された提示基準時間ＳＴＣに基づいて、例えばテーブル構成部４１から出力されるイベントインフォメーションテーブルＥＩＴに記述されたイベント時刻を換算して取得し、取得した高精度のイベント時刻を出力することができる。
【００８９】
さらに、本第１実施形態に係るデジタル放送受信装置５から出力される高精度のイベント時刻の利用用途の一例について述べると、ビデオ・ストリームと、高精度のイベント時刻とは、例えば、受信装置５に接続されたＶＴＲなどの録画装置に入力され、これらの入力を受けて録画装置は、指定されたイベント時刻が到来したとき、該当するイベントの録画を開始するのである。これにより、高精度のイベント時刻を用いて、イベントを録画等の利用の用途に供することが可能となる。
【００９０】
さらに、本第２実施形態に係るデジタル放送受信装置７の概略動作について述べると、本第２実施形態に係るデジタル放送受信装置７によれば、ＭＰＥＧ−２ビデオデコーダ３９は、基準計時部３７で再現された提示基準時間ＳＴＣを用いて、ＳＴＣの値が提示時刻ＰＴＳに一致するように時系列情報を、ＰＥＳデコーダ３５内の該当する待ち行列から取り出し、取り出した時系列情報を、ＭＰＥＧ−２ビデオの規格に準拠して伸長し、ビデオ・ストリームの形態で出力する一方、提示時間時間換算部５３は、テーブル構成部４１で抽出されたオフセット情報ＰＯＴを参照して、時刻指定部５１を用いて指定されたイベント時刻に基づいて、提示基準時間を換算して出力し、これを受けて時系列選択部５７は、提示基準時間換算部５３で得られた提示基準時間と、ＰＥＳデコーダ３５から送られたＰＥＳパケットに含まれる提示時刻ＰＴＳとを比較して、提示時刻ＰＴＳが提示基準時間の値と一致するように時系列情報を選択して取り出すことにより、時刻指定部５１で指定された部分映像を切り出すことができる。
【００９１】
なお、第２のデジタル放送受信装置７がオフセット情報ＰＯＴを受け取れなかった場合において、時刻比較部５５は、テーブル構成部４１から出力されるイベント基準時計ＴＤＴを用いて、時刻指定部５１で指定されたイベント時刻を１秒精度で出力し、これを受けて時系列選択部５７は、時刻比較部５５から入力したイベント指定時刻と、ＰＥＳデコーダ３５から送られた提示時刻ＰＴＳとを比較して、提示時刻ＰＴＳがイベント指定時刻と一致するように時系列情報を選択して取り出すことにより、指定された部分映像を切り出すこともできる。
【００９２】
最後に、本発明に係るデジタル放送の時刻同期方法について、図４を参照してさらに説明する。
【００９３】
同図に示すように、まず、送出装置は、イベントの先頭からの相対時間が「00:00:00:00」の時点で、ＰＴＳの値ＰＴＳ０に対応するＳＴＣの値であるＳＴＣ０を、送出時の実績から求め、この値を、４２ビット、２７ＭＨｚ周期のサンプリングレート精度のＰＴＳオフセット符号ＰＯＴの形態で伝送する。
【００９４】
一方、受信装置は、例えば、先頭から「00:25:42:18」フレーム目を指定する場合には、２７ＭＨｚのＳＴＣが「00:25:42:18」フレーム分の映像を提示する間に増加する値を、ＳＴＣ０に加算した和ＳＴＣ１を求める。次に、その和ＳＴＣ１を、９０ｋＨｚのＰＴＳに換算することでＰＴＳ１を得て、ＰＴＳの値に対応するフレームを参照することができる。
【００９５】
なお、ＰＴＳオフセット符号ＰＯＴは、複数の各イベント毎に関連付けて伝送されるが、イベントに関連付けるevent_idに代えて時刻と関連付けるフィールドに変更することで、１日毎、１時間毎といった一定時間毎にオフセットを関連付けてもよいし、イベントと独立して必要に応じて適宜関連付けても良い。
【００９６】
また、イベントより細かい、シーンやカットといった単位に対して適用できることはいうまでもない。しかも、ＰＴＳオフセット符号ＰＯＴは、イベント先頭からの相対時間と、実時刻の両方に利用可能である。
【００９７】
なお、本発明は、上述した実施形態の例に限定されることなく、請求の範囲内において適宜の変更を加えることにより、その他の態様で実施することが可能である。
【００９８】
すなわち、例えば、本発明に係る実施形態の説明において、時系列情報として映像ストリームを中心に取り扱う形態を例示して説明したが、本発明はこの形態に限定されることなく、例えば、時系列情報として、音声ストリーム、又はその他のデータストリームを取り扱う場合にも適用することができることは言うまでもない。
【００９９】
また、ＥＩＴ等で指定されるイベント時刻の基準となるイベント基準時計は、必ずしも現在時刻を表わす時計でなくてもよい。何らかの相対時刻を表わす時計であっても動作は全く同様に行なわれる。したがって、本発明によれば、ＥＩＴ等で指定するイベント時刻を、実時刻とは独立した相対時刻によって表現することが可能である。
【０１００】
さらに、提示時刻ＰＴＳに代えて、受信装置でＭＰＥＧ−２ビデオをデコードする時刻ＤＴＳ（Decode Time Stamp）に対するオフセットを用いることも可能である。
【０１０１】
最後に、本発明に係るデジタル放送の時刻同期方法は、従来の方式に対して互換性が確保されていることを強調しておく。
【０１０２】
すなわち、送信側で従来のＴＤＴに加えて本発明によるオフセット情報ＰＯＴを送出すれば、従来の受信装置は従来通りの粗い同期で動作することが可能であると同時に、本発明に係る受信装置は精密な同期で動作することが可能である。このため、ＰＴＳオフセット符号ＰＯＴは、ＰＴＳオフセット符号ＰＯＴを理解する機能のない受信装置との互換性を確保することを考慮したデータ構造とされる。更には、イベント毎に要求される同期精度に応じて、ＰＴＳオフセット符号ＰＯＴを送出したり、又はＰＯＴを送出しなかったりといった柔軟な運用も可能である。
【０１０３】
【発明の効果】
本発明によれば、多重化された時系列情報を送出側から送出する際に、時系列情報における時間軸上の部分を含むイベントに対し、イベントの基準となるイベント基準時間と、複数の時系列情報間における提示時間同期の基準となる提示基準時間との間のオフセット時間を含むオフセット情報を付加して伝送するようにしたので、したがって、例えば、ＥＩＴ等に記述されるイベント時刻の基準となるイベント基準時間を、正確な対応付けが困難なイベント基準時計ＴＤＴに依存することなく、伝送されたオフセット情報を参照して、提示基準時間に基づいて換算して得られることとなり、つまり、最終的に同一の基準時間を用いることになる結果として、受信側における提示基準時間とイベント基準時間とを精密に同期させることができる。
【０１０４】
また、本発明によれば、例えば、ＥＩＴ等に記述されるイベント時刻の基準となるイベント基準時間を、正確な対応付けが困難なイベント基準時計ＴＤＴに依存することなく、伝送されたオフセット情報を参照して、提示基準時間に基づいて換算して得られることとなり、つまり、最終的に同一の基準時間を用いることになる結果として、デジタル放送の受信側における提示基準時間とイベント基準時間とを精密に同期させることが可能なデジタル放送送出装置を得ることができる。
【０１０５】
さらに、本発明によれば、例えば、ＥＩＴ等に記述されるイベント時刻の基準となるイベント基準時間を、正確な対応付けが困難なイベント基準時計ＴＤＴに依存することなく、取得したオフセット情報を参照して、提示基準時間に基づいて換算して得られることとなり、つまり、最終的に同一の基準時間を用いることになる結果として、提示基準時間とイベント基準時間とを精密に同期させることが可能なデジタル放送受信装置を得ることができる。
【０１０６】
さらにまた、本発明によれば、オフセット情報取得手段で取得したオフセット情報を参照して、提示基準時間に基づいてイベント基準時間を換算して得るようにしたので、したがって、得られたイベント基準時間を提示基準時間に対して精密に同期させることが可能なデジタル放送受信装置を得ることができる。
【０１０７】
しかも、本発明によれば、オフセット情報取得手段で取得したオフセット情報を参照して、イベント基準時間に基づいて提示基準時間を換算して得るようにしたので、したがって、得られた提示基準時間をイベント基準時間に対して精密に同期させることが可能なデジタル放送受信装置を得ることができる。
【０１０８】
一方、本発明によれば、デジタル放送送出装置は、時系列情報における時間軸上の部分を含むイベントに対し、複数の時系列情報間における提示時間同期の基準となる第１の精度を呈する提示基準時間と、イベントの基準となる、第１の精度より低い第２の精度を呈するイベント基準時間との間の、オフセット関係を記述したオフセット情報を付加して伝送する一方、デジタル放送受信装置は、デジタル放送送出装置から伝送されたオフセット情報を参照して、提示基準時間に基づいてイベント基準時間を換算して得ることにより、提示基準時間と、イベント基準時間とを精密に同期させるので、したがって、得られたイベント基準時間を提示基準時間に対して精密に同期させることが可能なデジタル放送送受システムを得ることができる。
【０１０９】
また、本発明によれば、デジタル放送送出装置は、時系列情報における時間軸上の部分を含むイベントに対し、複数の時系列情報間における提示時間同期の基準となる第１の精度を呈する提示基準時間と、イベントの基準となる、第１の精度より低い第２の精度を呈するイベント基準時間との間の、オフセット関係を記述したオフセット情報を付加して伝送する一方、デジタル放送受信装置は、デジタル放送送出装置から伝送されたオフセット情報を参照して、イベント基準時間に基づいて提示基準時間を換算して得ることにより、提示基準時間と、イベント基準時間とを精密に同期させるので、したがって、得られた提示基準時間をイベント基準時間に対して精密に同期させることが可能なデジタル放送送受システムを得ることができる。
【０１１０】
そして、本発明によれば、複数の時系列情報を多重化して放送するデジタル放送のデータ構造は、時系列情報における時間軸上の部分を含むイベントの基準となるイベント基準時間と、複数の時系列情報間における提示時間同期の基準となる提示基準時間との間のオフセット時間を含むオフセット情報が記述されるオフセット情報記述領域を含んで構成されるので、したがって、例えば、多重化された時系列情報を送出側から送出する際に、オフセット情報記述領域にオフセット情報を記述して伝送すれば、ＥＩＴ等に記述されるイベント時刻の基準となるイベント基準時間を、正確な対応付けが困難なイベント基準時計ＴＤＴに依存することなく、伝送されたオフセット情報を参照して、提示基準時間に基づいて換算して得られることとなり、つまり、最終的に同一の基準時間を用いることになる結果として、受信側における提示基準時間とイベント基準時間とを精密に同期させることができるというきわめて優れた効果を奏する。
【図面の簡単な説明】
【図１】図１は、本発明に係るデジタル放送送出装置の概略ブロック構成図である。
【図２】図２は、本発明に係る第１のデジタル放送受信装置の概略ブロック構成図である。
【図３】図３は、本発明に係る第２のデジタル放送受信装置の概略ブロック構成図である。
【図４】図４は、本発明に係るデジタル放送の時刻同期方法の説明図である。
【図５】図５は、本発明の要部として位置付けられるオフセット情報が記述されるＰＴＳオフセットテーブルのデータ構造を示す図である。
【図６】図６は、本発明の要部として位置付けられるオフセット情報が記述されるＰＴＳオフセットテーブルのデータ構造を示す図である。
【符号の説明】
１  第１のデジタル放送送受システム
２  第１のデジタル放送送受システム
３  デジタル放送送出装置
５  第１のデジタル放送受信装置
７  第２のデジタル放送受信装置
１１  イベント基準時計
１３  イベントスケジューラ
１５  映像格納部
１７  提示基準時計
１９  ＭＰＥＧ−２ビデオエンコーダ
２１  ＰＯＴ生成部（オフセット情報付加手段）
２３  多重化部（オフセット情報付加手段）
２５  変調部（伝送手段）
３１  復調部
３３  ＴＳデコーダ
３５  ＰＥＳデコーダ
３７  基準計時部
３９  ＭＰＥＧ−２ビデオデコーダ
４１  テーブル構成部（オフセット情報取得手段）
４３  時間換算部（時間同期手段、及び時間換算手段）
５１  時刻指定部
５３  提示基準時間換算部（時間同期手段、及び時間換算手段）
５５  時刻比較部
５７  時系列選択部
６１  テーブル識別
６３  セクションシンタックス指示
６５，６９，８１  未定義
６７  セクション長
７１  バージョン番号
７３  カレントネクスト指示
７５  セクション番号
７７  最終セクション番号
７９  イベント識別
８３  ＰＴＳオフセット符号
８５  ＣＲＣ（巡回冗長検査）
【図１】
0004256715.tif 000002
【図２】
0004256715.tif 000003
【図３】
0004256715.tif 000004
【図４】
0004256715.tif 000005
【図５】
0004256715.tif 000006
【図６】
0004256715.tif 000007